(57)【要約】  互いに平行に配置された２つの主面（ＳＯ、ＳＵ）と、互いに距離を置いて配置され、前記主面（ＳＯ、ＳＵ）の間にそれぞれ延設する少なくとも２つの排出開口部（Ｓ１０、Ｓ２０）と、を有する耐火性セラミックスライディングプレート（Ｓ）であって、少なくとも１つの前記主面（ＳＯ、ＳＵ）の領域内で、少なくとも２つの前記排出開口部（Ｓ１０、Ｓ２０）が異なる断面積（ＱＳ１０、ＱＳ２０）を有し、前記主面（ＳＯ、ＳＵ）に沿った２つの隣り合う前記排出開口部（Ｓ１０、Ｓ２０）の間の最短距離（ｓ１）が、前記両排出開口部（Ｓ１０、Ｓ２０）の最大の軸（ＳＳ１０）よりも短い、耐火性セラミックスライディングプレートを提供する。
2014518158.tif 000002
【特許請求の範囲】
【請求項１】
互いに平行に配置された２つの主面（ＳＯ、ＳＵ）と、
互いに距離を置いて配置され、前記主面（ＳＯ、ＳＵ）の間にそれぞれ延設する少なくとも２つの排出開口部（Ｓ１０、Ｓ２０）と、を有する耐火性セラミックスライディングプレート（Ｓ）であって、
少なくとも１つの前記主面（ＳＯ、ＳＵ）の領域内で、少なくとも２つの前記排出開口部（Ｓ１０、Ｓ２０）が異なる断面積（ＱＳ１０、ＱＳ２０）を有し、
前記主面（ＳＯ、ＳＵ）に沿った２つの隣り合う前記排出開口部（Ｓ１０、Ｓ２０）の間の最短距離（ｓ１）が、前記両排出開口部（Ｓ１０、Ｓ２０）の最大の軸（ＳＳ１０）よりも短い、耐火性セラミックスライディングプレート。
【請求項２】
前記主面（ＳＯ、ＳＵ）に沿った２つの隣り合う前記排出開口部（Ｓ１０、Ｓ２０）の前記最短距離（ｓ１）が、前記両排出開口部（Ｓ１０、Ｓ２０）の前記最大の軸（ＳＳ１０）の０．０１から０．５倍である、請求項１に記載のスライディングプレート。
【請求項３】
前記主面（ＳＯ、ＳＵ）に沿った２つの隣り合う前記排出開口部（Ｓ１０、Ｓ２０）の間の前記最短距離（ｓ１）が、前記両排出開口部（Ｓ１０、Ｓ２０）の前記最大の軸（ＳＳ１０）の０．０５から０．３５倍である、請求項２に記載のスライディングプレート。
【請求項４】
前記主面（ＳＯ、ＳＵ）に沿った２つの隣り合う前記排出開口部（Ｓ１０、Ｓ２０）の間の前記最短距離（ｓ１）が、前記両排出開口部（Ｓ１０、Ｓ２０）の前記最大の軸（ＳＳ１０）の０．１から０．２５倍である、請求項２に記載のスライディングプレート。
【請求項５】
少なくとも１つの前記主面（ＳＯ、ＳＵ）の領域内で、小さな断面積を有する前記排出開口部（Ｓ２０）の前記断面積（ＱＳ２０）と大きな断面積を有する前記排出開口部（ＱＳ１０）の前記断面積（ＱＳ１０）のｘ倍との合計が、大きな断面積を有する前記排出開口部（Ｓ１０）の全断面積（ＱＳ１０）より大きく、ここでｘが０．４以上０．９以下である、請求項１に記載のスライディングプレート。
【請求項６】
前記排出開口部（Ｓ１０、Ｓ２０）のそれぞれが前記主面（ＳＯ、ＳＵ）の領域内で円形断面を有する、請求項１に記載のスライディングプレート。
【請求項７】
前記排出開口部（Ｓ１０、Ｓ２０）のそれぞれが前記主面（ＳＯ、ＳＵ）間で一定の断面積を有する、請求項１に記載のスライディングプレート。
【請求項８】
前記主面（ＳＯ、ＳＵ）に沿った前記排出開口部（Ｓ１０、Ｓ２０）の中心（ＭＳ１０、ＭＳ２０）が、共通の直線上にある、請求項１に記載のスライディングプレート。
【請求項９】
前記共通の直線が、前記スライディングプレートの変位方向を規定する、請求項８に記載のスライディングプレート。
【請求項１０】
前記主面（ＳＯ、ＳＵ）に沿った前記排出開口部（Ｓ１０、Ｓ２０）の前記中心（ＭＳ１０、ＭＳ２０）が、共通の円弧上にある、請求項１に記載のスライディングプレート。
【請求項１１】
前記共通の円弧が、前記スライディングプレートの変位方向を規定する、請求項１０に記載のスライディングプレート。
【請求項１２】
請求項１から１１のいずれか一項に記載のスライディングプレート（Ｓ）及び機能的な位置において対応する主面（ＰＯＵ、ＰＵＯ）と位置合わせされて配置される少なくとも１つのさらなるプレート（ＰＯ、ＰＵ）からなるスライディングプレートセットであって、前記さらなるプレート（ＰＯ、ＰＵ）が、少なくとも１つの排出開口部（ＰＯ１０、ＰＵ１０）を有し、前記排出開口部の断面積及び配置が、前記スライディングプレート（Ｓ）の位置に応じて、前記スライディングプレート（Ｓ）の１つ以上の前記排出開口部（Ｓ１０、Ｓ２０）を完全に及び／または部分的に覆うように選択される、スライディングプレートセット。
【請求項１３】
前記さらなるプレート（ＰＯ、ＰＵ）が、少なくとも１つの排出開口部（ＰＯ１０、ＰＵ１０）を有し、前記排出開口部の断面積及び配置が、前記スライディングプレート（Ｓ）の位置に応じて、
小さな断面積を有する前記スライディングプレート（Ｓ）の前記排出開口部（Ｓ２０）のみを覆い、または
小さな断面積（ＱＳ２０）を有する前記スライディングプレート（Ｓ）の前記排出開口部（Ｓ２０）及び同時に大きな断面積（ＱＳ１０）を有する前記スライディングプレートの前記排出開口部（Ｓ１０）の最大５０％を覆う
ように選択される、請求項１２に記載のスライディングプレートセット。
【請求項１４】
対応する前記主面（ＰＯＵ、ＳＯ；ＳＵ、ＰＵＯ）に沿った全ての前記排出開口部（Ｓ１０、Ｓ２０、ＰＯ１０、ＰＵ１０）の中心（ＭＳ１０、ＭＳ２０、ＭＫ１０）が、前記主面（ＳＵ、ＳＯ）に対して垂直な共通のレベルにある、請求項１２に記載のスライディングプレートセット。
【請求項１５】
対応する前記主面（ＰＯＵ、ＳＯ；ＳＵ、ＰＵＯ）に沿った全ての前記排出開口部（Ｓ１０、Ｓ２０、ＰＯ１０、ＰＵ１０）の中心（ＭＳ１０、ＭＳ２０、ＭＫ１０）が、前記主面（ＳＵ、ＳＯ）に対して垂直な共通の円筒コート表面内にある、請求項１２に記載のスライディングプレートセット。
【発明の詳細な説明】
【技術分野】
【０００１】
本発明は耐熱セラミックスライディングプレート及び対応するスライディングプレートセットに関連する。単一のスライディングプレート、またはいわゆるスライディングプレートは、冶金容器、例えば取鍋またはタンディッシュからの金属溶融物の流出体積及び流出速度の調整／制御のためのスライディングクロージャ（スライディングシステム、スライディングゲート）の一部である。
【０００２】
そのような種類のスライディングプレートシステムは、いわゆる線形スライダーおよび回転スライダーを含む。これらは２つ以上のプレートを含むことができる。プレートの少なくとも１つは、可動である（線形スライダーにおいては線形可動、回転スライダーでは回転可動）。各プレートは互いに平行である２つの主面及び２つの主面にそれぞれ延設し、そのため主面に垂直である少なくとも１つの開口部を特徴とする。
【０００３】
可動プレート（本明細書ではスライディングプレートと呼ぶ）の変位を通して対応するプレートの開口部が、それを通して溶融物の質量及び速度を調整できるように、または溶融物の流動を遮断するように、位置をオフセットし、部分的に重畳し、または互いに位置を合わせて配置されることができる。
【０００４】
すべてのプレートは耐火性セラミック材料からなり、金属溶融物の高温(たとえば、１５００℃）に耐えることができる。特に、スライディングクロージャの開閉時、腐食の強い兆候が耐火性材料上に現れる。
【０００５】
特許文献１には、スライディングプレートが開示され、これは複数の排出開口部を特徴とし、そのためスライディングプレートは第１の排出開口部が磨滅したときにも、スライディングクロージャの調整のための第２の排出開口部を用いることにより、まだ使用可能である。
【０００６】
代替的に、特許文献２は、異なる直径を有するスライディングプレートの排出開口部を設計することを示唆しており、それによって１つまたは他の排出開口部の使用に応じて、より多く又はより少ない金属溶融物が制御バルブ（スライディングクロージャ）を介して流れることが可能である。
【先行技術文献】
【特許文献】
【０００７】
【特許文献１】欧州特許出願公開第０３７３２８７号明細書
【特許文献２】独国特許出願公開第１０３２４８０１号明細書
【発明の概要】
【発明が解決しようとする課題】
【０００８】
本発明は、通過する金属溶融物の流動を最適化することが可能なスライディングプレートを提示することを目的（対象）とする。
【課題を解決するための手段】
【０００９】
・互いに平行に配置された２つの主面
・互いに間隔をあけて配置された、主面と主面との間に延設する少なくとも２つの排出開口部
・少なくとも主面上の領域内に、少なくとも２つの排出開口部が異なる断面積を有すること
これらの特徴を有する前述の既知のスライディングプレートに基づき、発明のアイディアはスライディングプレートを以下のように設計することにある。
・２つの近接／隣接する排出開口部の主面に沿った最短距離は、それらの排出開口部の最大の軸（弦）よりも小さい
【００１０】
２つの円形の開口部の間の最短距離は、開口部の中心を通る直線に沿った距離である。この直線はしばしば線形スライダーにおいてはスライディングプレートの変位の方向（スライディングの方向）を規定することとなる。
【００１１】
「スライディングプレートの変位の方向」という用語は、一般的に線形スライダーの場合には直線的であり、回転スライダーの場合には変位の方向は円弧に沿う。
【００１２】
スライディングプレートの隣接する排出開口部の本発明（装置）に従う寸法によって、スライディングクロージャの異なる設定が完全に可能である。これは、以下では２つのプレートのスライディングクロージャの助けを借りて説明される。本明細書において説明される特徴はまた、２つよりも多くのプレートを有するスライディングクロージャに関しても有効であることが理解される。
ａ）スライディングプレートの１つの排出開口部は、さらなるプレートの１つの排出開口部と位置合わせされる。このことは、両プレートの排出開口部が同一の断面積を有することを意味する。排出流動の体積は、最大となる。
ｂ）例ａ）に従うスライディングプレートが動かされると、両方のプレートの排出開口部の共通の断面積は減少し、そのため排出流動体積も減少する。
ｃ）スライディングプレートの第２の排出開口部がさらなるプレートの排出開口部と流体的に接続した状態になるまでスライディングプレートがさらに移動すると、スライディングプレートの開口部の１つがさらなるプレートの開口部ともはや重畳しないようになるまで、２つの部分的な流動を有した排出流動プロファイルとなる。
【００１３】
ａ）及びｂ）に従う測定が前述の先行技術に従うスライディングクロージャで実施されることも可能である一方で、本発明に従う解決手段の主な利点は、本発明に従うスライディングプレートの少なくとも２つの排出開口部が同時にスライディングクロージャのさらなるプレートの排出開口部と流体的に接続した状態にされることも可能であるという事実（ｃ）にある。そのようにする場合、溶融物の流動は少なくとも２つの部分的な流動に分割される。第１の部分的な流動は、スライディングクロージャのさらなるプレートの排出開口部を通して、次いで第１の排出開口部の一部を通して流れ、その一方第２の部分的な流動もまたスライディングクロージャのさらなる（ほとんどの場合固定された）プレートの排出開口部を通して、次いでスライディングプレートの第２の排出開口部の少なくとも一部を通して流れる。
【００１４】
この分割によって、通過する溶融物の合計質量と同様に部分的な流動の流動速度は、ある程度まで制御（調整）することが可能である。そのようにする場合、特徴的に異なる流動パターンが形成される。以下の図の説明が参照される。
【００１５】
従って、スライディングプレートの主な特徴は、少なくとも１つの第２の注入孔（第２の排出開口部）を介して、より腐食が少ない状態で最適化された調整／制御を可能にするという事実にあり、この注入孔は、流体的に第１の注入孔と少なくとも部分的に平行に配置されることができる。
【００１６】
強い制限（溶融物の流動の減少）において、注入流動の大部分は、小さな排出開口部を介して注ぎ込むことができ、この排出開口部は、スライディングクロージャの対応する（さらなる）プレートの排出開口部下に完全に位置させられる。より大きな排出開口部は、さらなるプレートの排出開口部と追加的に流体的に接続するようにされるように延設することに応じて、さらなる開口部とともに金属溶融物の流動体積の精密な調整を可能にする。
【００１７】
前述の配置における減少した排出開口部を介して流れる溶融物の量の減少は、より軽度な侵食／腐食しかもたらさない。
【００１８】
さらに、スライディングクロージャの領域における空気の吸い込みの問題が、注入プロセスが主により小さな排出開口部を介して起こり、より大きな排出開口部の一部のみがまた対応するプレートの排出開口部と流体的に接続される場合に限り軽減される。これは、より小さな排出開口部を介した溶融物の流動がそのためさらなるプレートの排出開口部に関連して中央に（たとえば同軸上に）発生するという事実による。換言すれば、この位置においてスライディングプレートの排出開口部は常に対応する（主に固定された）プレートの排出開口部の限定する壁に対してある距離を有する。これはまた以下の図の説明において明らかにされる。
【００１９】
前述の原理は同様に２つより多くの排出開口部、例えば３つまたは４つの開口部を有するスライディングプレートにも有効である。
【００２０】
一実施形態に従えば、２つの近接する排出開口部の（対応する主面に沿った）最短距離は、これらの排出開口部の最大の軸／弦の０．０１から０．５倍に等しい。
【００２１】
一実施形態に従えば、この距離は下限を０．０５倍に及び／または上限を０．３５倍に限定することが可能である。
【００２２】
代替的な限定は、０．１倍にあり、さらに可能な上限は０．２５または０．３０倍にある。
【００２３】
本発明の一実施形態は、少なくとも１つの主面の領域において小さな断面積を有する排出開口部の断面積と、ｘ倍の大きな断面積を有する排出開口部の断面積との合計は、大きな断面積を有する排出開口部の断面積より大きいかまたは等しく、ｘは０．４以上０．９５以下であり、特に０．９以下、０．８以下、またはむしろ０．７以下又は０．６以下であり、下限は０．４５以上、０．５以上または０．５５以上である。
【００２４】
前述の計算は以下の方程式で示すことができる。
【００２５】
【数１】
2014518158.tif 000003
【００２６】
そのようにする場合、ＱＳ２０は小さな断面積を有する排出開口部の断面積に関連し、ＱＳ１０は大きな断面積を有する排出開口部の断面積に関連する。
【００２７】
２つの円形の開口部の場合、ｘについて好適な下限は０．１０、０．２０または０．２５として設定することができ、ｘについて好適な上限は０．９０、０．８０または０．７０として設定することができ、ＱＳは円の対応する直径を画定する。
【００２８】
２つより多い排出開口部の場合、以下の式が有効である。
【００２９】
【数２】
2014518158.tif 000004
【００３０】
ここでΣＱＳ２０は排出開口部の断面を含み、これは同時に、大きな断面積（ＱＳ１０）を有する排出開口部とともに、近接するプレートの排出開口部と流体的に接続するようにすることができ、ここでΣＱＳ２０はＱＳ１０を含まない。
【００３１】
排出開口部が円形の断面を有することは、好適であるが、必ずしも必要ではない。一般的に排出開口部は任意の幾何断面、例えば長方形または多角形を有することができる。
【００３２】
通常、排出開口部の断面積は、主面間で一定であり、そのため円形断面の場合は円筒形の排出開口部が形成される。しかしながら、本発明は、そのような実施形態に限定されない。それぞれ、例えばじょうご型形状プロファイルを有する排出開口部も含む。
【００３３】
主面に沿った排出開口部の中心は、線形スライディングクロージャの場合には共通の直線状にあることができ、回転スライディングクロージャの場合には共通の円弧上にあることができる。これらの仕様は正確に数学的に理解されるものではないが、技術的に例えば製造許容範囲を考慮して理解される。これらはまた以下の実施形態に示されるように、スライディング方向に対してオフセットして配置されることもできる。
【００３４】
言及されるように本発明は、前述の種類の少なくとも１つのスライディングプレート及び少なくとも１つのさらなるプレートから対応してなる完全なスライディングプレートセット（完全なスライディングクロージャ）にも関連し、対応するプレートはそれらの機能を発揮する／機能的な位置においてそれらの対応する主面と互いに位置合わせされる。同時に、少なくとも１つのさらなるプレートは、少なくとも１つの排出開口部を有し、その断面積及び配置は、スライディングプレートの位置に応じて、スライディングプレートの１つ以上の排出開口部を完全に及び／または部分的に覆うように選択される。
【００３５】
さらなるプレートと同様にスライディングプレートは、その材料またはその組立（例えば金属エンベロープ／カートリッジ内）に関して従来技術に従って設計することが可能である。
【００３６】
一実施形態に従って、さらなるプレートは、少なくとも１つの排出開口部を有し、その断面積及び配置はスライディングプレートの位置に従って、以下のように選択される。
ａ）小さな断面積を有するスライディングプレートの排出開口部を覆うのみである、または
ｂ）小さな断面積を有するスライディングプレートの排出開口部を覆い、同時に大きな断面積を有するスライディングプレートの排出開口部の排出開口部の５０％に及ぶ領域を覆う。
ｃ）大きな断面積を有するスライディングプレートの排出開口部のみを覆う。
【００３７】
より小さな値（４５％以下、４０％以下、３０％以下）が好適であるが、５０％という値は６０％まで拡張することが可能であり、そのため可能な限り多くの溶融物がより小さな開口部を通して流れる。
【００３８】
すべての排出開口部の中央は好適には共通レベル上の対応する主面に沿って位置し、この共通レベルは、主面に対して垂直である。これは線形スライディングクロージャに対して有効である。
【００３９】
回転スライディングクロージャの場合、全ての排出開口部の中央は共通の円筒コート表面内の対応する主面に沿って位置し、その面は主面に対して垂直である。
【００４０】
本発明のさらなる特徴は、従属請求項の特徴およびその他の出願書面から得られる。個々の特徴はそのようにまたは明示的に排除されない限り任意の組み合わせで実現されうる。
【００４１】
本発明は従来技術との比較と同様にそれぞれの実施形態の助けを借りて以下にさらに説明される。以下の図面は、非常に概略的に示されている。
【図面の簡単な説明】
【００４２】
【図１】本発明に従うスライディングプレートについての上面図及び断面である。
【図２】本発明に従うスライディングプレートセットについての断面である。
【図３】図２に従うスライディングプレートの例示的な位置である。
【図４】従来技術に従うスライディングプレートセットについて図３に類似する表示である。
【図５】さらなるプレートとともに配置されたスライディングプレートについてのさらなる実施形態である。
【図６】さらなるプレートとともに配置されたスライディングプレートについてのさらなる実施形態である。
【図７】さらなるプレートとともに配置されたスライディングプレートについてのさらなる実施形態である。
【図８】さらなるプレートとともに配置された回転スライディングクロージャについてのさらなる実施形態である。
【発明を実施するための形態】
【００４３】
図において、同一のまたは類似の外観を呈する要素は同一の参照符号を付して示される。
【００４４】
図１は、本発明のスライディングプレートＳを示しており、上部主面ＳＯ及び上部主面と平行に配置された下部主面ＳＵを有し、上面から見ると大まかに楕円形を有する（図１の上側）。
【００４５】
これは線形スライディングクロージャに関するスライディングプレートであり、変位の方向はＶ−Ｖで示されている。２つの排出開口部Ｓ１０、Ｓ２０は、そのそれぞれが主面ＳＯ、ＳＵ間に延設し、距離Ｓ１で配置されており（Ｓ１は変位方向Ｖ−Ｖに沿った排出開口部Ｓ１０、Ｓ２０の最短距離である）、変位の方向Ｖ−Ｖに沿って配置されている。
【００４６】
より大きな排出開口部Ｓ１０は、直径ＳＳ１０を有する。より小さな排出開口部Ｓ２０の直径はＳＳ２０で表されている。
【００４７】
排出開口部Ｓ１０、Ｓ２０のいずれも主面ＳＯ、ＳＵ間で一定の円形断面を有しており、対応する中央縦方向軸はＭＳ１０、ＭＳ２０で表されている。
【００４８】
図２は、３つのプレートを有するスライディングクロージャにおけるそのようなスライディングプレートＳの配置を示している。そのため、対応するスライディングプレートセットは３つのプレート、すなわち上部固定プレートＰＯ及び下部固定プレートＰＵを含む。スライディングプレートＳはこれらの間、またはむしろプレートＰＯの下面ＰＯＵ及びプレートＰＵの上面ＰＵＯの間に位置する。プレートＰＯ、ＰＵのそれぞれは、それぞれ円形断面を有しスライディングプレートＳの排出開口部Ｓ１０と同じ寸法を有する排出開口部ＰＯ１０、ＰＵ１０を含む。
【００４９】
図示された位置において、全ての排出開口部ＰＯ１０、Ｓ１０及びＰＵ１０は位置合わせされている（互いに同一位置にある）。
【００５０】
スライディングプレートＳのより小さな排出開口部Ｓ２０は、上からプレートＰＯによって覆われ、下からプレートＰＵによって制限される。換言すれば、図示された位置では、上に配置された溶融物容器ＳＧからまたはむしろ図示されたノットルＨから本図面では概略的にＡとしか示されていない下流凝集部へ排出開口部Ｓ２０を通して金属溶融物は流れることはない。
【００５１】
さらなるスライディングゲートクロージャの詳細は、これらは従来技術であるため、プレートに関するカートリッジ導入口（エンベロープ）や、スライディングプレートのためのスライディング機構などのように、さらなる説明はなされない。
【００５２】
図３は、スライディングプレートＳの位置を示しており、図２に従う位置と比較して左側へ移動させられており、そのためより小さな排出開口部Ｓ２０が排出開口部ＰＯ１０の領域内に完全にあるが、より大きな排出開口部Ｓ１０は未だ排出開口部ＰＯ１０、ＰＵ１０と重なる領域から完全には取り除かれていない。結果として、溶融物の流動は、Ｍとして概略的に示されるように、スライディングプレートＳの領域に溶融物が到達するとすぐに２つの部分的な流動に分離される。これらの部分的な流動は、Ｍ１０、Ｍ２０として示され、同時に対応する流動プロファイルはハッチされた状態で示されている。
【００５３】
溶融物が下部プレートＰＵを離れたときに溶融物が再び単に到達する排出開口部ＰＯ１０の領域内で速度Ｇ０を有する一方で、部分的な流動Ｍ１０はＧ０よりも大きな速度Ｇ２を概して有する。より小さな排出開口部Ｓ２０の領域において、流動プロファイルは、中央で流速がＧ２より大きなＧ１である領域が形成されるようになり、Ｇ２は溶融物流動Ｍ２０の外側領域で観察される。単一速度測定値間の遷移は漸次的（段階的）ではなく、連続的であることは明らかである。
【００５４】
図３に従う例示は、排出開口部Ｓ２０の中央位置のために排出開口部ＰＵ１０の下部の空気の吸い込みが事実上不可能であることを示している。例えそうであったとしても、空気の残存量は隣接プレート間の溶融物流動Ｍ１０の遷移領域内に吸い込まれることができる。
【００５５】
したがってスライディングプレートＳの両方の排出開口部の本発明に従う配置は、スライディングプレートセット（スライディングクロージャ）の制御性を増すだけでなく、より酸化が少ないため従来技術と比較して通過させられる金属溶融物の品質を向上させる。
【００５６】
従来技術が図４に示されている。ここでは、全てのプレートのすべての排出開口部が同一である。スライディングプレートＳの線形変位の間、金属溶融物の減少（流動体積の減少）が発生することとなる。そのため、２つのプレート間の遷移領域における不要な空気の侵入の危険性が同時に増大する。スライディングプレートＳの端部Ｋの領域において流動の偏移及び金属溶融物の流速の高い増加が発生することも観察され、このことは高い腐食及び侵食を発生させる。これは本発明に従う設計で回避することができる。
【００５７】
図５は線形スライディングプレートＳのさらなる実施形態を示している。より大きな流動通過開口部Ｓ１０の直径ＳＳ１０は６０ｍｍであり、より小さな流動通過開口部Ｓ２０の直径は２５ｍｍであり、両排出開口部Ｓ１０、Ｓ２０間の最短距離ｓ１は１５ｍｍである。これは排出開口部Ｓ１０について断面積が２８２７ｍｍ２となり、Ｓ２０について４９１ｍｍ２となる。近接するプレートの開口部ＰＯ１０が示されている。
【００５８】
前述の数式に関する値ｘはしたがって約０．８３である。変位の方向はＶ−Ｖとして示されている。開口部Ｓ２０は変位の方向Ｖ−Ｖに対してオフセットされている（開口部Ｓ２０の中心に対して距離ＡＢである）。
【００５９】
図６において以下の値を有する線形スライディングプレートＳが示されている。ＳＳ１０＝６０ｍｍ、ＳＳ２０＝２５ｍｍである。排出開口部ＰＯ１０の直径もまた６０ｍｍである。距離Ｓ１は１７ｍｍである。
【００６０】
スライディングプレートＳの排出開口部Ｓ２０は、図示された位置ではそれぞれ排出開口部ＰＵ１０によって完全に覆われており、スライディングプレートＳの排出開口部Ｓ１０の約２１．９％が、図示された位置では排出開口部ＰＵ１０によって覆われている。
【００６１】
図７において、図６に類似した実施形態が示されているが、排出開口部は円形断面を有しておらず、そのかわりにそれぞれ四角形の断面を有している。上部プレートＰＯ及びスライディングプレートＳの排出開口部の図示された配置において容易に理解できるように、より小さな排出開口部Ｓ２０との重複の程度は１００％であり、より大きな排出開口部Ｓ１０との重複の程度は５０％である。
【００６２】
図８は図５に類似する例示を示しているが、回転スライディングクロージャに関し、ここでスライディングの円形経路はＶ−Ｖで示される。
【００６３】
排出開口部Ｓ２０について９０８ｍｍ２の断面積を有し、排出開口部Ｓ１０について７８５４ｍｍ２の断面積を有するので（距離Ｓ１は３０ｍｍである）、結果は約０．８８の値ｘとなる。
【００６４】
スライディングプレートＳは炭素結合物質からなることができる。
【符号の説明】
【００６５】
ＳＯ  上部主面
ＳＵ  下部主面
Ｓ１０  排出開口部
Ｓ２０  排出開口部
ｓ１  排出開口部間の距離
ＳＳ１０  排出開口部Ｓ１０の直径
ＳＳ２０  排出開口部Ｓ２０の直径
ＭＳ１０  排出開口部Ｓ１０の中央縦方向軸
ＭＳ２０  排出開口部Ｓ２０の中央縦方向軸
ＰＯ  上部固定プレート
ＰＵ  下部固定プレート
ＰＯＵ  上部固定プレートＰＯの下面
ＰＵＯ  下部固定プレートＰＵの上面
ＰＯ１０  排出開口部
ＰＵ１０  排出開口部
Ｈ  ノットル
Ａ  下流凝集部
【図１】
2014518158.tif 000005
【図２】
2014518158.tif 000006
【図３】
2014518158.tif 000007
【図４】
2014518158.tif 000008
【図５】
2014518158.tif 000009
【図６】
2014518158.tif 000010
【図７】
2014518158.tif 000011
【図８】
2014518158.tif 000012
【国際調査報告】
2014518158.tif 000013
2014518158.tif 000014
2014518158.tif 000015
2014518158.tif 000016
2014518158.tif 000017
2014518158.tif 000018
2014518158.tif 000019
2014518158.tif 000020